(57)【要約】  【課題】録画機能及び自動ファイナライズ機能を備えた光ディスク装置において、ユーザが事前に選択した光ディスクの記録容量の使用率又は使用量に到達した後にファイナライズ処理が行われるようにして、録画後ファイナライズ処理をせずに徒過してしまう虞れを低減させると共に、記録容量の利用に関するユーザの意図がよりよく反映した形での光ディスクへの録画及び録画済み光ディスクの作成が行えるようにする。  【解決手段】ユーザが、段階的な使用率の表示の中から、希望の使用率を選択して設定し（Ｓ１１）、その後、録画動作が終了した時点で（Ｓ１２）、装填された光ディスクについての、録画済み情報量の録画可能情報量に対する割合を算出する。算出した実際の使用率と、設定した使用率との比較を行い（Ｓ１４）、実際の使用率が設定使用率を超えている場合に、自動ファイナライズ処理を開始させる（Ｓ１５）。【選択図】図３
2006065944.tif 000002
【特許請求の範囲】
【請求項１】
録画機能及び自動ファイナライズ機能を備えた光ディスク装置において、
録画機能の動作・非動作を認識するモード認識手段と、
ユーザ操作により変更可能であって、その表示形式が段階的なパーセント形式である使用率設定手段と、
装填された光ディスクの録画可能領域の全情報量を検出する録画可能量検出手段と、
前記モード認識手段により録画動作が終了したことを認識した際の、光ディスクに対する録画済みの情報量を検出する録画済み情報量検出手段と、
前記録画済み情報量検出手段により検出した録画済み情報量の、前記録画可能量検出手段により検出した録画可能情報量に対する割合を算出する使用率算出手段と、
前記使用率算出手段により算出された使用率と、前記使用率設定手段を介してユーザにより設定された使用率とを比較する使用率比較手段と、
前記使用率比較手段による比較の結果、使用率算出手段により算出された使用率が、ユーザにより設定された使用率を超えている場合に、自動ファイナライズ機能を実行開始させるファイナライズ開始手段と、を備えたことを特徴とする光ディスク装置。
【請求項２】
録画機能及び自動ファイナライズ機能を備えた光ディスク装置において、
ユーザ操作により変更可能な使用率設定手段と、
装填された光ディスクの録画可能領域の全情報量を検出する録画可能量検出手段と、
該光ディスクに対する録画済みの情報量を検出する録画済み情報量検出手段と、
前記録画済み情報量検出手段により検出した録画済み情報量の、前記録画可能量検出手段により検出した録画可能情報量に対する割合を算出する使用率算出手段と、
前記使用率算出手段により算出された使用率と前記使用率設定手段を介してユーザにより設定された使用率とを比較し、前者の使用率が、後者の使用率を超えた場合に、自動ファイナライズ機能を実行開始させるファイナライズ開始手段と、を備えたことを特徴とする光ディスク装置。
【請求項３】
前記使用率設定手段が、使用率を段階的に設定できる手段である請求項２に記載の光ディスク装置。
【請求項４】
録画機能及び自動ファイナライズ機能を備えた光ディスク装置において、
録画機能の動作・非動作を認識するモード認識手段と、
ユーザ操作により段階的に変更可能な録画時間設定手段と、
前記モード認識手段により録画動作が終了したことを認識した際の、光ディスクに対する録画済みの時間を検出する録画済み時間検出手段と、
前記録画済み時間検出手段により検出された録画済み時間と、前記録画時間設定手段を介してユーザにより設定された録画時間とを比較し、録画済み時間が、ユーザ設定の録画時間を超えている場合に、自動ファイナライズ機能を実行開始させるファイナライズ開始手段と、を備えたことを特徴とする光ディスク装置。
【請求項５】
録画機能及び自動ファイナライズ機能を備えた光ディスク装置において、
録画機能の動作・非動作を認識するモード認識手段と、
ユーザ操作により段階的に変更可能な録画タイトル数設定手段と、
前記モード認識手段により録画動作が終了したことを認識した際の、光ディスクに対する録画済みのタイトル数を検出する録画済みタイトル数検出手段と、
前記録画済みタイトル数検出手段により検出された録画済みタイトル数と、前記録画タイトル数設定手段を介してユーザにより設定された録画タイトル数とを比較し、録画済みタイトル数が、ユーザ設定の録画タイトル数と同数になった場合に、自動ファイナライズ機能を実行開始させるファイナライズ開始手段と、を備えたことを特徴とする光ディスク装置。
【発明の詳細な説明】
【技術分野】
【０００１】
本発明は、録画機能及び自動ファイナライズ機能を備えた光ディスク装置に関する。
【背景技術】
【０００２】
ＤＶＤ−ＲやＤＶＤ−ＲＷといった録画可能な光ディスク媒体（以下、光ディスク）が普及してきており、これらの光ディスクに家庭で簡単に映画等を録画できる家庭用ＤＶＤレコーダも同様に普及してきている。これらの光ディスクは容量が大きく、１〜２時間程度の映画、テレビ番組等を数タイトル録画することができる。そして、ＤＶＤレコーダで録画した光ディスクは、同一のＤＶＤレコーダで再生する場合には、録画後の処理（ファイナライズ処理）をしなくても支障なく再生できるが、他のＤＶＤレコーダ（あるいはＤＶＤプレーヤ）に装填してこれを再生しようとした場合、ファイナライズ処理をしていなければ記録方式の相違等の問題から、再生できない場合がある。
【０００３】
したがって、ファイナライズ処理は、録画した光ディスクを他のＤＶＤレコーダ（あるいはＤＶＤプレーヤ）で再生することを予定している場合（例えば、第三者へ貸し出す場合等）、必ず行わなければならない処理であるが、その処理操作が録画後になるので、どうしても忘れ勝ちになる傾向がある。そこで、最近の家庭用ＤＶＤレコーダでは自動ファイナライズ機能を搭載し、例えばタイマー録画が終了すれば、録画終了と同時に自動的にファイナライズ処理が行われる機種もある。この機能を用いれば、タイマー録画の予約の際に、併せてタイマー録画終了後のファイナライズ処理の予約もできるので、ユーザによる操作が録画の前後に亘らず、録画前の１回だけで済むので、便利であるし、ファイナライズ処理をせずに徒過してしまうことも防止できる。
【０００４】
一方、光ディスクを記録装置から取り出す際に、ファイナライズ処理を行うか否かの選択をユーザに問い、ユーザがそれに応じていずれかを選択することにより、ユーザの意図が反映されるようにした技術が特許文献１により公開されている。
【０００５】
また、装填されたディスクに記録指示が入力された場合、ディスクがアンファイナライズ可能なディスクなら、自動でアンファイナライズを行い、ディスクへの追記が完了した後に自動でファイナライズを行う技術が特許文献２によって公開されている。
【特許文献１】特開２００２−３７３４２３号公報
【特許文献２】特開２００３−８５９４４号公報
【発明の開示】
【発明が解決しようとする課題】
【０００６】
上述のように、タイマー録画が終了した後に自動でファイナライズ処理を行う装置、ディスクの取り出しの際にファイナライズ処理の必要の有無をユーザへ問い合わせる装置、あるいは追記が行われた後に自動でファイナライズ処理を行う装置は知られているが、いずれもファイナライズ処理が実行される時点での当該光ディスクにおける録画済みの割合あるいは録画量については考慮されていない。
【０００７】
つまり、ファイナライズ処理は、ＤＶＤ−Ｒ、ＤＶＤ−ＲＷ等の書き込み可能な光ディスクに対して行う最終処理であって、ファイナライズ処理を終えた光ディスクに対しては、原則的に再度の書込みはできないこととなる。したがって、光ディスクの記録容量（書込み容量）を有効に使いたいユーザであれば、当然に１枚の光ディスクの記録容量内で所望の録画すべき映画等のコンテンツを最大数録画したいという要求を持ち、例えば、タイマー録画が終了した後に自動でファイナライズ処理が行われた結果、未だ光ディスクの半分以上が未記録領域として残ったまま、書込み不能のディスクになってしまえば、ユーザには不満が残り、上記タイマー録画終了後の自動ファイナライズ機能は使い勝手の悪い機能となる。
【０００８】
要するに、従来装置における自動ファイナライズ機能は、ユーザの重要な関心事である光ディスクの記録容量の有効利用を図るといった観点が欠けており、当該光ディスクへの記録済み量がどの程度に達すれば最終的な処理であるファイナライズ処理を行うことを許容するかの決定がユーザ側の判断事項になっていないという不備がある。
【０００９】
そこで、本発明は、録画機能及び自動ファイナライズ機能を備えた光ディスク装置において、ファイナライズ処理を徒過してしまう虞れを低減させると共に、ファイナライズ処理が、ユーザが選択した光ディスクの使用率又は使用量に到達した後に行われるようにして、光ディスクの記録容量の有効利用が図られ、ユーザにとって使い勝手のよい光ディスク装置を提供することを目的とする。
【課題を解決するための手段】
【００１０】
上記課題を解決するための請求項１の発明は、録画機能及び自動ファイナライズ機能を備えた光ディスク装置において、録画機能の動作・非動作を認識するモード認識手段と、ユーザ操作により変更可能であって、その表示形式が段階的なパーセント形式である使用率設定手段と、装填された光ディスクの録画可能領域の全情報量を検出する録画可能量検出手段と、前記モード認識手段により録画動作が終了したことを認識した際の、光ディスクに対する録画済みの情報量を検出する録画済み情報量検出手段と、前記録画済み情報量検出手段により検出した録画済み情報量の、前記録画可能量検出手段により検出した録画可能情報量に対する割合を算出する使用率算出手段と、前記使用率算出手段により算出された使用率と、前記使用率設定手段を介してユーザにより設定された使用率とを比較する使用率比較手段と、前記使用率比較手段による比較の結果、使用率算出手段により算出された使用率が、ユーザにより設定された使用率を超えている場合に、自動ファイナライズ機能を実行開始させるファイナライズ開始手段と、を備えたことを特徴とする。
【００１１】
また、請求項２の発明は、録画機能及び自動ファイナライズ機能を備えた光ディスク装置において、ユーザ操作により変更可能な使用率設定手段と、装填された光ディスクの録画可能領域の全情報量を検出する録画可能量検出手段と、該光ディスクに対する録画済みの情報量を検出する録画済み情報量検出手段と、前記録画済み情報量検出手段により検出した録画済み情報量の、前記録画可能量検出手段により検出した録画可能情報量に対する割合を算出する使用率算出手段と、前記使用率算出手段により算出された使用率と前記使用率設定手段を介してユーザにより設定された使用率とを比較し、前者の使用率が、後者の使用率を超えた場合に、自動ファイナライズ機能を実行開始させるファイナライズ開始手段と、を備えたことを特徴とする。
【００１２】
また、請求項３の発明は、請求項２に記載の光ディスク装置において、使用率設定手段が、使用率を段階的に設定できる手段であることを特徴とする。
【００１３】
また、請求項４の発明は、録画機能及び自動ファイナライズ機能を備えた光ディスク装置において、録画機能の動作・非動作を認識するモード認識手段と、ユーザ操作により段階的に変更可能な録画時間設定手段と、前記モード認識手段により録画動作が終了したことを認識した際の、光ディスクに対する録画済みの時間を検出する録画済み時間検出手段と、前記録画済み時間検出手段により検出された録画済み時間と、前記録画時間設定手段を介してユーザにより設定された録画時間とを比較し、録画済み時間が、ユーザ設定の録画時間を超えている場合に、自動ファイナライズ機能を実行開始させるファイナライズ開始手段と、を備えたことを特徴とする。
【００１４】
また、請求項５の発明は、録画機能及び自動ファイナライズ機能を備えた光ディスク装置において、録画機能の動作・非動作を認識するモード認識手段と、ユーザ操作により段階的に変更可能な録画タイトル数設定手段と、前記モード認識手段により録画動作が終了したことを認識した際の、光ディスクに対する録画済みのタイトル数を検出する録画済みタイトル数検出手段と、前記録画済みタイトル数検出手段により検出された録画済みタイトル数と、前記録画タイトル数設定手段を介してユーザにより設定された録画タイトル数とを比較し、録画済みタイトル数が、ユーザ設定の録画タイトル数と同数になった場合に、自動ファイナライズ機能を実行開始させるファイナライズ開始手段と、を備えたことを特徴とする。
【発明の効果】
【００１５】
請求項１の発明によれば、ユーザは段階的なパーセント形式で表示される使用率設定手段を操作して、希望の使用率（例えば、８０％）を事前に選ぶことができ、その後、タイマー録画、手動録画を問わず、録画が終了した時点で、その使用率を超えていた場合に、自動的にファイナライズ処理が行われるので、光ディスクの記録容量の有効利用が図られると共に、ファイナライズ処理が確実に行われて当該光ディスクを他の装置で再生する際に、不測に再生不能となってしまうことが防止できる。また、ユーザは段階的なパーセント表示の使用率の中から選ぶので、選択操作が容易であるし、ディスクの使用率が感覚的に把握しやすいという利点もある。
【００１６】
請求項２の発明によれば、ユーザは予め使用率設定手段を操作して、希望の使用率を設定しておけば、その後、装填された光ディスクに対する録画がなされ、光ディスクの実際の使用率が設定した使用率を超えた場合に、自動的にファイナライズ処理が行われるので、光ディスクの記録容量の有効利用が図られると共に、ファイナライズ処理が確実に行われて当該光ディスクを他の装置で再生する際に、不測に再生不能となってしまうことが防止できる。
【００１７】
請求項３の発明によれば、上記効果に加えて、ユーザは段階的なパーセント表示の使用率の中から選ぶので、選択操作が容易であるし、感覚的にも理解が容易であるという利点がある。
【００１８】
請求項４の発明によれば、ユーザは事前に録画時間設定手段を操作して、希望の録画時間（例えば、１２０分）を段階的に選ぶことができ、その後、タイマー録画、手動録画を問わず、録画が終了した時点で、装填された光ディスクへの録画時間が設定時間を超えていた場合に、自動的にファイナライズ処理が行われるので、光ディスクの記録容量の有効利用が図られると共に、ファイナライズ処理が確実に行われて当該光ディスクを他の装置で再生する際に、不測に再生不能となってしまうことが防止できる。また、ユーザは段階的な時間表示の中から選ぶので、選択操作が容易であるし、当該ディスクにどれだけの量（時間）の映像情報が収納されたかを感覚的に把握しやすいという利点もある。
【００１９】
請求項５の発明によれば、ユーザは事前に録画タイトル数設定手段を操作して、希望の録画タイトル数（例えば、３タイトル）を段階的に選ぶことができ、その後、タイマー録画、手動録画を問わず、録画が終了した時点で、装填された光ディスクへの録画タイトル数が設定された録画タイトル数となった場合に、自動的にファイナライズ処理が行われるので、光ディスクの記録容量の有効利用が図られると共に、ファイナライズ処理が確実に行われて当該光ディスクを他の装置で再生する際に、不測に再生不能となってしまうことが防止できる。また、ユーザは、当該ディスクにどれだけの量（タイトル数）の映像情報が収納されたかを具体的に把握しやすいという利点もある。
【発明を実施するための最良の形態】
【００２０】
以下、本発明の第１の実施形態に係る光ディスク装置について図１と図２を参照して説明する。図１は光ディスク装置１の電気的ブロック構成を示す。本実施形態の光ディスク装置１は、ＤＶＤ−ＲやＤＶＤ−ＲＷ等の光ディスク７０に対して記録及び再生を行う装置である。
【００２１】
光ディスク装置１は、図示しないディスクトレイに載置された光ディスク７０が所定の挿入位置に挿入されたことを検知するディスク挿入検知部２と、光ディスク７０のターンテーブルを回転するスピンドルモータ３と、光ディスクへ７０の記録、再生用レーザ光を発生、照射する光ピックアップ４と、光ピックアップ４の移動モータ５と、レーザ光源である半導体レーザ４１のレーザ駆動部６と、光ピックアップ４からの出力信号を処理する信号処理部７と、データスライス信号生成部８と、対物レンズ４４のレンズホルダ４７に設けたトラッキングコイル４９及びフォーカシングコイル４８へ電流供給を行って対物レンズ４４を所望の方向へ移動するサーボ制御部９と、ディスク挿入検知部２、スピンドルモータ３、レーザ駆動部６、信号処理部７、データスライス信号生成部８、及びサーボ制御部９のそれぞれを制御するマイクロコンピュータからなるＣＰＵ２０とを備えている。
【００２２】
光ピックアップ４は半導体レーザ４１からのレーザ光をコリメートレンズ４２、ビームスプリッタ４３及び対物レンズ４４を介して光ディスク７０上にレーザ光を集光照射する。また、光ディスク７０からの反射光を対物レンズ４４、ビームスプリッタ４３及び集光レンズ４５を介して光検知器４６で受光する。そして、光検知器４６からの出力信号が信号処理部７によってＲＦ信号に変換され、さらにＲＦ信号がデータスライス信号生成部８によって２値化されてＣＰＵ２０へ入力されて光ディスク７０に記録された情報が読取られる。
【００２３】
光ディスク装置１は、さらにディスプレイ装置３０とのインターフェイスとなる映像・音声信号入出力部１０と、液晶表示板等からなる表示部１３と、リモコン１１からの指令信号（赤外線信号）を受光するリモコン受信部１２を備えている。リモコン１１から発せられた指令信号がリモコン受信部１２を介してＣＰＵ２０へ入力され、光ディスク装置１が種々の動作を行う。具体的には、録画モード、再生モードの切替え、あるいは電源オン・オフ、タイマー録画の予約等である。そして、録画モード、再生モード等の状態モードの表示は表示部１３において「ＲＥＣ」「ＰＬＡＹ」等の記号で表示され、タイマー録画の予約操作は、ディスプレイ装置３０の画面上に公知のＯＳＤ（Ｏｎ  Ｓｃｒｅｅｎ  Ｄｉｓｐｌａｙ）機能を用いて表示される録画予約項目（予約日、時間、チャンネル等）を、リモコン１１の十字キー等を操作し、画面上のカーソルを移動させることによって行われる。
【００２４】
ここで、光ディスク７０における一般的な情報の記録構造について図２に基づいて説明する。光ディスク７０は中心から外側に向かって螺旋状にピットが形成されて情報が記録される。さらに、光ディスク７０は内側から順にＰＣＡ（Ｐｏｗｅｒ  Ｃａｌｉｂｒａｔｉｏｎ  Ａｒｅａ）７０ａ、ＰＭＡ（Ｐｒｏｇｒａｍ  Ｍｅｍｏｒｙ  Ａｒｅａ）７０ｂ、リードインエリア７０ｃ、プログラムエリア７０ｄ、リードアウトエリア７０ｅの各領域に分かれる。ＰＣＡ７０ａは録画の際のレーザパワーの調整を行うために利用されるエリアであり、ＰＭＡ７０ｂはプログラムエリア７０ｄに記録された情報に関するインデックス情報（アドレス情報、トラック番号等）を一時的に記録するエリアである。また、リードインエリア７０ｃはセッションの開始を示すエリアであり、このエリア７０ｃに、記録されたコンテンツのタイトル、そのアドレス等がＴＯＣ（Ｔａｂｌｅ  ｏｆ  Ｃｏｎｔｅｎｔｓ）情報として記録される。リードアウトエリア７０ｅはセッションの終了を示すエリアである。
【００２５】
光ディスク装置１は、録画モードで録画を行う際、プログラムエリア７０ｄに映像・音声情報を記録し、記録終了後に、記録を行ったトラックに関する情報をＰＭＡ７０ｂに記録する。続いて録画する場合、光ディスク装置１は、ＰＭＡ７０ｂに記録された情報を読み出して、プログラムエリア７０ｄに記録されたトラックの終端を検出し、そこから新たな録画を開始する。
【００２６】
上記録画動作を繰返した後、本実施形態の光ディスク装置１では、予め設定された使用率（録画可能領域の全情報量に対する録画済み情報量の割合）に到達した場合に、自動的にファイナライズ処理を開始させるものであり、次にファイナライズ処理について説明する。
【００２７】
ファイナライズ処理とは、リードインエリア７０ｃにＴＯＣ情報等のリードイン情報を記録し、リードアウトエリア７０ｅに所定のフォーマットのリードアウト情報を記録し、さらにプログラムエリア７０ｄに残された未記録エリア全部にダミーの信号（例えばゼロ）を書き込む処理であり、これらの処理は一連の動作として実行されるようにＣＰＡ２０内のＲＯＭにプログラムが格納されている。ファイナライズ処理が行われることによって、リードインエリア７０ｃ等に、その光ディスク７０に関する基本的情報が記録されるので、当該光ディスク７０を記録時とは別の光ディスク装置へ装填した場合であっても再生が可能になる。
【００２８】
次に、ＣＰＵ２０によって制御される自動ファイナライズ処理の手順について、図３のフローチャートに基づいて説明する。まず、ユーザが、自動ファイナライズ機能をオンにすると共に、リモコン１１を用いて、段階的なパーセント形式で表示された使用率の中から希望の使用率を選択する（Ｓ１１）。パーセント形式の表示は、具体的には「１０％、２０％、・・８０％、９０％、１００％」であって、ディスプレイ装置３０にＯＳＤ機能を用いて表示され、ユーザがリモコン１１の十字キー等を用いてディスプレイ画面３０ａ上のカーソル５０を移動することによって選択する（図６にディスプレイ画面３０ａの例を示す）。ステップＳ１１で選択された使用率（例えば、８０％、以下設定使用率という）は、ＣＰＵ２０内のメモリに記憶される。
【００２９】
その後、ユーザが手動による録画又はタイマー録画を実行したならば、ＣＰＵ２０は光ディスク装置１のモード状態を認識可能であるので、録画モードの終了を認識した際、次の演算をする（Ｓ１２）。すなわち、装填されている光ディスク７０の録画可能領域（プログラムエリア）に記録しうる全情報量を検出すると共に、録画が終了した時点の録画済み情報量を検出し、録画済み情報量の、録画可能な全情報量に対する割合を算出する（算出された割合を実使用率という）。そして、自動ファイナライズ機能がユーザによってオンとされているかどうかを判断（Ｓ１３）した後、ノーであればそのまま終了とし、イエスであれば、ステップＳ１２の時点で算出した実使用率と、メモリ内に記憶されている設定使用率とを比較し（Ｓ１４）、実使用率が設定使用率を超えていなければ、ステップＳ１２に戻り、超えていればファイナライズ処理を開始する（Ｓ１５）。
【００３０】
例えば、設定使用率が８０％であった場合に、録画終了時点の実使用率が８５％であったならば、ファイナライズ処理を開始する。なお、装填されている光ディスク７０の録画可能領域に記録しうる全情報量は、ステップＳ１２の時点で検出するのではなく、その光ディスクが光ディスク装置に装填された時点で検出するようにしてもよい。また、ユーザによる自動ファイナライズ機能オン・オフの選択は、リモコン１１に専用のキーを設けてその操作で行うようにしてもよいし、ディスプレイ画面３０ａ上にＯＳＤ機能により「オン」「オフ」の表示をし、それをリモコン１１操作によるカーソル５１の移動で選択するようにしてもよい（図６）。
【００３１】
以上のように、ユーザは事前に使用率の設定操作を行っておけば、その後、当該光ディスク７０に対して手動録画、タイマー録画を問わず、録画動作を繰返した後（１回の場合もあり得る）、実使用率が設定した使用率を超えていれば、自動的にファイナライズ処理が開始されることとなる。
【００３２】
上記第１の実施形態では、使用率の形式で、自動ファイナライズへ移行する条件を設定することとしたので、ユーザにとって、光ディスクの使用済みの割合を感覚的に把握しやすいという利点があるが、使用率の代わりに録画時間を事前に設定するようにしてもよい。以下において、録画時間を設定する第２の実施形態を図４のフローチャートに基づいて説明する。まず、ユーザが、自動ファイナライズ機能をオンにすると共に、リモコン１１を用いて段階的な時間形式で表示された録画時間の中から希望の録画時間を選択する（Ｓ２１）。録画時間の表示は、具体的には「１０分、２０分、・・１００分、１１０分、１２０分・・１８０分」等であって、第１の実施形態と同様に、ディスプレイ装置の画面３０ａにＯＳＤ機能を用いて表示し、ユーザがリモコン１１の十字キー等を用いてディスプレイ画面３０ａ上のカーソルを移動することによって選択する。ステップＳ２１で選択された録画時間（例えば、１２０分、以下設定録画時間という）は、ＣＰＵ２０内のメモリに記憶される。
【００３３】
その後、ユーザが手動による録画又はタイマー録画を実行したならば、ＣＰＵ２０は、録画モードの終了を認識した際（Ｓ２２）、その時点の録画済み時間（実録画時間という）を算出する。そして、自動ファイナライズ機能がユーザによってオンとされているかどうかを判断（Ｓ２３）した後、ノーであればそのまま終了とし、イエスであれば、ステップＳ２２の時点で算出した実録画時間と、メモリ内に記憶されている設定録画時間とを比較し（Ｓ２４）、実録画時間が設定録画時間を超えていなければ、ステップＳ２２に戻り、超えていればファイナライズ処理を開始する（Ｓ２５）。例えば、設定録画時間が１２０分であった場合に、録画終了時点の実録画時間が１３０分であったならば、ファイナライズ処理を開始する。
【００３４】
なお、録画時間の具体的な表示は、装填された個別の光ディスク７０に応じて変化させることが好ましい。つまり、装填された光ディスク７０に記録可能な録画時間は、光ディスク７０ごとに異なるので、光ディスク７０が光ディスク装置１内に装填された時点で、プログラムエリア７０ｄへの記録可能な全録画時間を検出し、その値に基づいてディスプレイ画面３０ａ上に表示する段階的な録画時間を変更する。例えば、装填された光ディスク７０のプログラムエリア７０ｄへの記録可能な全録画時間が１００分であったとすれば、具体的な表示は、例えば「１０分、２０分、・・９０分、１００分」になり、さらに別の光ディスク７０では、プログラムエリア７０ｄへの記録可能な全録画時間が２００分であったとすれば、具体的な表示は、例えば「１０分、２０分・・１９０分、２００分」となる。上記第２の実施形態では、ユーザは、当該光ディスク７０にどれだけの量（時間）の映像情報が収納されたかを感覚的に把握しやすいという利点がある。
【００３５】
さらに、ユーザが事前に録画タイトル数を設定するようにした第３の実施形態について図５のフローチャートに基づいて説明する。まず、ユーザが自動ファイナライズ機能をオンにすると共に、リモコン１１を用いて録画タイトル数を選択する（Ｓ３１）。具体的には、録画タイトル数は「１、２、・・」の整数になるので、第１、第２の実施形態と同様に、これら整数をディスプレイ装置３０にＯＳＤ機能を用いて表示し、ユーザがリモコン１１の十字キー等を用いてディスプレイ画面３０ａ上のカーソルを移動することによって選択するようにしてもよいし、リモコン１１に備わったテンキーを用いて入力するようにしてもよい。ステップＳ３１で選択された録画タイトル数（例えば、「３」、以下設定録画タイトル数という）は、ＣＰＵ２０内のメモリに記憶される。
【００３６】
その後、ユーザが手動による録画又はタイマー録画を実行したならば、ＣＰＵ２０は、録画モードの終了を認識した際（Ｓ３２）、その時点の録画済みタイトル数（実録画タイトル数という）を算出する。そして、自動ファイナライズ機能がユーザによってオンとされているかどうかを判断（Ｓ３３）した後、ノーであればそのまま終了とし、イエスであれば、ステップＳ３２の時点で算出した実録画タイトル数と、メモリ内に記憶されている設定録画タイトル数とを比較し（Ｓ３４）、実録画タイトル数が設定録画タイトル数と同数になっていなければ（実録画タイトル数が設定録画タイトル数未満）、ステップＳ３２に戻り、同数に達していればファイナライズ処理を開始する（Ｓ３５）。例えば、設定録画タイトル数が「３」であった場合に、録画終了時点の実録画タイトル数が「３」であったならば、ファイナライズ処理を開始する。上記第３の実施形態では、ユーザは、当該ディスクにどれだけの量（タイトル数）の映像情報が収納されたかを感覚的に把握しやすいという利点がある。
【００３７】
なお、第３の実施形態におけるタイトルとは、連続して録画された（あるいは録画される）１単位のことを言い、映画であれば大体２時間前後、通常のテレビ番組であれば３０分又は１時間前後である。したがって、第３の実施形態においては、ユーザは事前に録画タイトル数を設定する際に、今後の録画予定を想定した上で設定することになる。例えば、装填している光ディスク７０の録画容量が１２０分であった場合、ユーザは１時間のテレビ番組を録画する予定であれば、録画タイトル数を「２」と設定するであろうし、３０分のテレビ番組を録画する予定の場合は「４」と設定する。もちろん、光ディスク７０を有効に使い切りたいという意図はそれほど強くなく、例えば、整理の都合上、１枚の光ディスク７０に録画するタイトル数を「２」までと制限したい場合などは上述の設定の仕方にとらわれずユーザの選ぶ任意のタイトル数でよい。
【図面の簡単な説明】
【００３８】
【図１】本発明の第１の実施形態に係る光ディスク装置の電気的ブロック構成図。
【図２】光ディスクにおける一般的な情報の記録構造を示す図。
【図３】本発明の第１の実施形態に係る光ディスク装置における自動ファイナライズ処理の手順を示すフローチャート。
【図４】同第２の実施形態に係る光ディスク装置における自動ファイナライズ処理の手順を示すフローチャート。
【図５】同第３の実施形態に係る光ディスク装置における自動ファイナライズ処理の手順を示すフローチャート。
【図６】ディスプレイ装置の画面の一例を示す図。
【符号の説明】
【００３９】
１  光ディスク装置
４  光ピックアップ
１１  リモコン
２０  ＣＰＵ（モード認識手段、使用率設定手段、録画可能量検出手段、録画済み情報量検出手段、使用率算出手段、使用率比較手段、ファイナライズ開始手段）
３０  ディスプレイ装置
３０ａ  ディスプレイ画面
５０  カーソル
７０  光ディスク
【図１】
2006065944.tif 000003
【図２】
2006065944.tif 000004
【図３】
2006065944.tif 000005
【図４】
2006065944.tif 000006
【図５】
2006065944.tif 000007
【図６】
2006065944.tif 000008